(57)【特許請求の範囲】
【請求項１】
内面に、食品との接触による汚れを防止する汚れ防止用フィルム（30）が積層されるとともに剥離可能な接着剤により複数箇所において貼着されてなる紙製食品包装用容器であって、
容器本体（１）が、底壁（２）と、該底壁の周縁に周方向に並んで設けられた複数個の側壁（３）（４）（３）（４）と、隣接する側壁（３）（４）の端縁間に介在された連結片（５）とから構成されるとともに、前記連結片（５）は、各側壁の端縁に連設され互いに折半用折目（10）を介して連設された一対の折半部（5a）（5b）からなり、隣接する側壁（３）（４）同士が、この連結片（５）が前記折半用折目（10）から二つ折り状に折り曲げられた状態でいずれか一方の折半部（5a）が該折半部側の側壁（４）の外面に貼着されることにより、連結され、
前記フィルム（30）は、前記容器本体との対応部位（31）が、底壁対応部位（32）と、各側壁対応部位（33）（34）（33）（34）と、各連結片対応部位（35）（35）（35）（35）とから構成されるとともに、前記底壁対応部位及び各側壁対応部位が、それぞれ前記容器本体の底壁及び各側壁の内面に積層され、且つ前記連結片対応部位（35）が前記連結片（５）の内面に積層されるとともにこの状態で該連結片（５）と共に二つ折り状に折り曲げられており、
他方の折半部（5b）の上縁に、容器本体解体用摘み片（６）が突設されていることを特徴とする紙製食品包装用容器。
【請求項２】
前記連結片（５）の折半用折目（10）には、該折半用折目に沿って複数個の破断用連結部（10a）及び破断用切目（10b）が設けられている請求項１記載の紙製食品包装用容器。
【請求項３】
前記連結片対応部位（35）が前記連結片（５）の内面に非貼着状態で積層されている請求項１又は２記載の紙製食品包装用容器。
【請求項４】
前記容器は、容器組立用素片（20）から組立製作されたものであり、
容器組立用素片（20）を得るための紙の容器内面となる側の面に、剥離可能な接着剤が塗り付けられた後で汚れ防止用フィルム素材が積層され、この状態で前記紙と前記フィルム素材が容器組立用素片の形状に同時に打ち抜かれることにより、容器組立用素片（20）が得られるとともに該容器組立用素片の内面全面に汚れ防止用フィルム（30）が積層され、
この状態で前記容器組立用素片（20）の所定部位が折り曲げられて製作されている請求項１〜３のいずれか１項記載の紙製食品包装用容器。
【請求項５】
前記各側壁対応部位（33）（34）（33）（34）の上部が貼着されている請求項１〜４のいずれか１項記載の紙製食品包装用容器。
【請求項６】
前記容器の一部に、フィルム捲り用遊離部（62）が複数個の破断用連結部（63a）及び破断用切目（63b）を介して設けられている請求項１〜５のいずれか１項記載の紙製食品包装用容器。
【請求項７】
前記フィルム（30）は、紙からなる請求項１〜６のいずれか１項記載の紙製食品包装用容器。
【請求項８】
前記容器は、隣接する部位が折目を介して連設されたものであり、
前記フィルム（30）が、全折目及びその近傍を除く部分において貼着されている請求項１〜７のいずれか１項記載の紙製食品包装用容器。
【発明の詳細な説明】
【発明の属する技術分野】
【０００１】
この発明は、例えば持ち帰り食品や冷凍食品の包装に好適な紙製食品包装用容器に関する。
【従来の技術】
【０００２】
従来、催し物会場や野球場等においては、焼きそばやたこ焼きあるいはおでん等の食品を包装する容器としてトレー状の発泡プラスチック製包装用容器が一般に用いられている。このような発泡プラスチック製包装用容器が好んで用いられる所以は、軽量であること、充分な保形性を備えていること、食品の表面に塗られたソースや醤油等の液体調味料、あるいは食品から浸み出た液汁さらには煮込み食品の液汁等が容器に浸み込まないものであること等の利点を有しているところにある。
【０００３】
しかしながら、このような発泡プラスチック製包装用容器は、廃棄処理上いささか問題が多いものである。すなわち、発泡プラスチックは自然分解することのないものであるから、これを廃棄処理するに当たっては、焼却せざるを得ないのであるが、その焼却時に、人体に悪影響を及ぼす有害なガスが発生したり、焼却時に発生する極めて大きな燃焼熱により焼却炉の寿命が縮められたりするという問題が生じる。
【０００４】
そこで、最近では、このような発泡プラスチック製包装用容器の代替品として、トレー状の紙製の包装用容器が用いられてきている。この紙製の容器によれば、これを廃棄処理するに当たって、上記した問題は発生することはないが、この紙製の容器を用いて食品を包装する場合、液体調味料や液汁が容器に浸み込んで容器内面が汚れるという問題が発生する。このように容器内面が汚れた容器は、これを紙として再生することが困難になる。そこで、容器内面の汚れを防止するために、片面に合成樹脂フィルム等の耐水性や耐油性に富んだフィルムが積層貼着された紙を用い、これをフィルムが内面になるように組立製作した紙製の容器が提案されている。
【発明が解決しようとする課題】
【０００５】
しかしながら、この紙製の容器によれば、フィルムは、容器内面に全面的に貼着されていたので、容器とフィルムとを分離し難く、この結果、容器を紙として再生することが困難になっていた。
【０００６】
この発明は、上記のような技術背景に鑑みてなされたもので、その目的は、容器と汚れ防止用フィルムとを分離し易くして、容器を綺麗な状態で再生に供することのできる紙製食品包装用容器を提供することにある。
【課題を解決するための手段】
【０００７】
上記目的を達成するため、請求項１の発明に係る紙製食品包装用容器は、内面に、食品との接触による汚れを防止する汚れ防止用フィルムが積層されるとともに剥離可能な接着剤により複数箇所において貼着されてなる紙製食品包装用容器であって、容器本体が、底壁と、該底壁の周縁に周方向に並んで設けられた複数個の側壁と、隣接する側壁の端縁間に介在された連結片とから構成されるとともに、前記連結片は、各側壁の端縁に連設され互いに折半用折目を介して連設された一対の折半部からなり、隣接する側壁同士が、この連結片が前記折半用折目から二つ折り状に折り曲げられた状態でいずれか一方の折半部が該折半部側の側壁の外面に貼着されることにより、連結され、前記フィルムは、前記容器本体との対応部位が、底壁対応部位と、各側壁対応部位と、各連結片対応部位とから構成されるとともに、前記底壁対応部位及び各側壁対応部位が、それぞれ前記容器本体の底壁及び各側壁の内面に積層され、且つ前記連結片対応部位が前記連結片の内面に積層されるとともにこの状態で該連結片と共に二つ折り状に折り曲げられており、他方の折半部の上縁に、容器本体解体用摘み片が突設されている構成を採用した。
【０００８】
請求項２では、上記請求項１の発明に係る紙製食品包装用容器において、前記連結片の折半用折目には、該折半用折目に沿って複数個の破断用連結部及び破断用切目が設けられている構成を採用した。
【０００９】
請求項３では、上記請求項１又は２の発明に係る紙製食品包装用容器において、前記連結片対応部位が前記連結片の内面に非貼着状態で積層されている構成を採用した。
【００１０】
請求項４では、上記請求項１〜３のいずれか１項の発明に係る紙製食品包装用容器において、前記容器は、容器組立用素片から組立製作されたものであり、容器組立用素片を得るための紙の容器内面となる側の面に、剥離可能な接着剤が塗り付けられた後で汚れ防止用フィルム素材が積層され、この状態で前記紙と前記フィルム素材が容器組立用素片の形状に同時に打ち抜かれることにより、容器組立用素片が得られるとともに該容器組立用素片の内面全面に汚れ防止用フィルムが積層され、この状態で前記容器組立用素片の所定部位が折り曲げられて製作されている構成を採用した。
【００１１】
請求項５では、上記請求項１〜４のいずれか１項の発明に係る紙製食品包装用容器において、前記各側壁対応部位の上部が貼着されている構成を採用した。
【００１２】
請求項６では、上記請求項１〜５のいずれか１項の発明に係る紙製食品包装用容器において、前記容器の一部に、フィルム捲り用遊離部が複数個の破断用連結部及び破断用切目を介して設けられている構成を採用した。
【００１３】
請求項７では、上記請求項１〜６のいずれか１項の発明に係る紙製食品包装用容器において、前記フィルムは、紙からなる構成を採用した。
【００１４】
請求項８では、上記請求項１〜７のいずれか１項の発明に係る紙製食品包装用容器において、前記容器は、隣接する部位が折目を介して連設されたものであり、前記フィルムが、全折目及びその近傍を除く部分において貼着されている構成を採用した。
【発明の実施の形態】
【００１５】
次に、この発明の実施形態を図面に基づいて具体的に説明する。
【００１６】
図１〜図７は、この発明の第１実施形態の紙製包装用容器（Ａ）を示している。この容器（Ａ）は、例えば被包装物として、図示していないが、焼きそばやたこ焼き等の表面に液体調味料が塗られた食品やおでん等の液汁の出る食品を包装するために用いられるものであって、図１に示すように、トレー状の容器本体（１）に平板状の蓋体（９）が一体的に設けられたいわゆる蓋付きのものである。
【００１７】
この容器（Ａ）は、図４に展開図で示すように、腰のある長尺広幅の厚紙（例えば厚さ０．３〜１ｍｍ）をプレス打ち抜き装置で所定形状に打ち抜くことにより得られたいわゆるブランクと呼ばれる容器組立用素片（20）から組立製作されたものである。
【００１８】
さらに、この容器（Ａ）の容器本体（１）及び蓋体（９）の内面全面には、図３に示すように、食品との接触による汚れを防止する紙製の汚れ防止用フィルム（30）が積層され、且つこの状態で該フィルム（30）が剥離可能な接着剤によって複数箇所において貼着されている。図１において、（イ）は前記フィルム（30）の貼着部を示し、各貼着部（イ）は直径３〜１０ｍｍの点状になっている。図１から分かるように、このフィルム（30）の貼着箇所は、点在しており、具体的な貼着箇所については後述する。
【００１９】
図５には、前記フィルム（30）の展開図が示されている。この実施形態では、前記フィルム（30）は、耐水性及び耐油性に富んだ薄紙（例えば厚さ４０〜８０μｍ）からなり、この薄紙として、例えば三島製紙株式会社製の食品包装紙「ＭＯＢ」が用いられている。このフィルム（30）は、前記容器組立用素片（20）を容器（Ａ）へと組み立てる前に、容器組立用素片（20）の内面に積層される。
【００２０】
而して、この容器（Ａ）は、上述したように図４に示した容器組立用素片（20）から組立製作されたものであり、その容器本体（１）は、方形状の底壁（２）と、該底壁（２）の周縁に折目（11）（11）（11）（11）を介して周方向に並んで連設された前後左右の四側壁（３）（４）（３）（４）と、隣接する側壁（３）（４）の端縁間に介在され両側壁（３）（４）同士をいずれか一方の側壁（４）の外面側において連結した合計４個の連結片（５）（５）（５）（５）とから構成されている。
【００２１】
前記蓋体（９）は、前記四側壁（３）（４）（３）（４）のうちの後側壁（３）の上縁に折目（15）を介して連設されている。
【００２２】
前記四側壁（３）（４）（３）（４）において、前側壁（３）及び左右各側壁（４）（４）の上縁には、折目（13）を介して蓋受け片（７）が外側方に突出状に連設されている。さらに、左右各蓋受け片（７）（７）の先端における長さ方向両端部には、略半円状の突出部（８）が突設されている。
【００２３】
前記各連結片（５）は、互いに折半用折目（10）を介して連設された一対の略三角形状の折半部（5a）（5b）からなる。この一対の折半部（5a）（5b）のうちいずれか一方の折半部（5a）は該折半部側の側壁（４）の端縁に折目（12）を介して連設されており、他方の折半部（5b）は該折半部側の側壁（３）の端縁に折目（12）を介して連設されている。そして、図３に示すように、この連結片（５）が前記折半用折目（10）から二つ折り状に折り曲げられて二つに折半され、この状態で一方の折半部（5a）が該折半部側の側壁（４）の端部外面にエマルジョン型接着剤により貼着されており、これにより隣接する側壁（４）（３）同士が連結されて立上り姿勢に保持されている。また、他方の折半部（5b）の上縁には、略台形状の容器本体解体用摘み片（６）が折目（14）を介して突設されている。この摘み片（６）は、図１及び図２に示すように、前記折目（14）から折り曲げられて蓋受け片（７）の下面に重合され、これにより蓋受け片（７）が外側方突出姿勢に保持されている。更にこの摘み片（６）は、容器本体（１）を解体する際には、図６に示すように、蓋受け片（７）が立ち上げられた後にこの摘み片（６）が摘まれて容器本体（１）の解体作業が行われる。
【００２４】
前記各連結片（５）の折半用折目（10）には、図４に示すように、該折半用折目（10）に沿って一列に交互に並んだ複数個の第１破断用連結部（10a）…及び破断用切目（10b）…が設けられている。この実施形態では、前記折半用折目（10）は、前記破断用連結部（10a）…及び破断用切目（10b）…からなる。そして、図６に示すように、容器本体（１）を解体する際に、この破断用連結部（10a）…が破断され、これにより容器本体（１）が解体される。
【００２５】
一方、前記汚れ防止用フィルム（30）は、図５に示すように、前記容器組立用素片（20）と同形同寸になっており、前記容器（Ａ）の全構成部位に対応する部位を備えている。その構成部位を簡単に説明すれば、この汚れ防止用フィルム（30）は、容器本体との対応部位（31）と、蓋体との対応部位（39）とを備えている。
【００２６】
前記容器本体対応部位（31）は、底壁対応部位（32）と、前後左右の四側壁対応部位（33）（34）（33）（34）と、合計４個の連結片対応部位（35）（35）（35）（35）とから構成されている。また、（36）は摘み片対応部位、（37）は蓋受け片対応部位、（38）は突出部対応部位である。
【００２７】
そして、この容器（Ａ）においては、フィルム（30）の蓋体対応部位（39）、底壁対応部位（32）、各側壁対応部位（33）（34）（33）（34）、各連結片対応部位（35）（35）（35）（35）、各蓋受け片対応部位（37）（37）（37）、各摘み片対応部位（36）（36）（36）（36）及び各突出部対応部位（38）（38）（38）（38）が、それぞれ容器（Ａ）の蓋体（９）、底壁（２）、各側壁（３）（４）（３）（４）、各連結片（５）（５）（５）（５）、各蓋受け片（７）（７）（７）、各摘み片（６）（６）（６）（６）及び各突出部（８）（８）（８）（８）の内面に積層されている。さらに、容器組立後においては、フィルム（30）の連結片対応部位（35）は、図３に示すように、容器本体（１）の連結片（５）の内面に積層された状態で、該連結片（５）と共に折半用折目から二つ折り状に折り曲げられており、これにより該連結片（５）間の隙間内に折り込まれた状態になっている。
【００２８】
このフィルム（30）の容器内面への貼着箇所は、上述したように点在しており、これを具体的に示すと、次の通りである。すなわち、このフィルム（30）の前側壁対応部位（33）の上端部における長さ方向中間部及び両端部が、容器本体（１）の前側壁（３）の内面に貼着され、左右各側壁対応部位（34）（34）の上端部における長さ方向中間部が、容器本体（１）の左右各側壁（４）（４）の内面に貼着され、蓋体対応部位（39）の先端部における長さ方向中間部及び両端部と基端部における両端部とが、蓋体（９）の内面に貼着されている。つまり、このフィルム（30）の連結片対応部位（35）は、いずれも容器本体（１）の連結片（５）の内面に貼着されておらず即ち非貼着状態で連結片（５）の内面に積層されている。また、このフィルム（30）は、容器本体（１）における隣接する部位間に介在された全ての折目（10）（11）（12）（13）（14）及びその近傍を除く部分において、並びに容器本体（１）の後側壁（３）と蓋体（９）との間に介在された折目（15）及びその近傍を除く部分において、容器本体（１）及び蓋体（９）の内面に貼着されている。このフィルム（30）の貼着の際に用いられた剥離可能な接着剤としては、被接着物を容易に剥ぎ取ることのできるいわゆる軽剥離接着剤と呼ばれる剥離性接着剤が挙示され、例えば、東立化成工業株式会社製のエマルジョン型接着剤「ＴＸ−１２８６」が挙示される。
【００２９】
而して、この実施形態では、前記フィルム（30）は、容器組立用素片（20）の打ち抜き工程の際に、前記厚紙の容器内面となる側の面に、該面の所定箇所に剥離可能な接着剤が塗り付けられた後で広幅長尺のフィルム素材が積層され、この状態でプレス打ち抜き装置により容器組立用素片（20）と同時に打ち抜かれることにより、容器組立用素片（20）の内面全面に積層されたものである。そして、この状態で容器組立用素片（20）が容器へと組み立てられることにより、フィルム（30）の各構成部位が容器（Ａ）の対応部位の内面に積層されたものである。
【００３０】
以上の構成の容器（Ａ）では、蓋体（９）は容器本体（１）に一体的に設けられているから、蓋体（９）と容器本体（１）とを別々に製作する必要がなく、製作能率の良いものであることはもとより、容器本体（１）の底壁（２）及び各側壁（３）（４）（３）（４）の内面に、それぞれ汚れ防止用フィルム（30）の底壁対応部位（２）及び各側壁対応部位（33）（34）（33）（34）が積層されているので、焼きそば、たこ焼き、おでん等の食品を容器本体（１）内に入れた場合であっても、容器本体（１）の底壁（２）及び各側壁（３）（４）（３）（４）の内面が汚れるという不具合が発生しない。しかも、連結片（５）の内面にも汚れ防止用フィルム（30）の連結片対応部位（35）が積層されているので、もし仮に、二つ折り状の連結片（５）間に液体調味料や液汁が浸入したとしても、この浸入に伴う連結片（５）内面の汚れを防止することができる。さらに、蓋体（９）の内面にも汚れ防止用フィルム（30）の蓋体対応部位（39）が積層されているので、食品を容器本体（１）内に入れた後で蓋体（９）を閉じた場合であっても、蓋体（９）の内面が汚れる不具合が発生しない。したがって、この容器（Ａ）によれば、容器使用後に汚れ防止用フィルム（30）を分離することにより、容器（Ａ）を綺麗な状態で再生に供することができる。
【００３１】
さらに、この容器（Ａ）においては、汚れ防止用フィルム（30）の前側壁対応部位（33）及び左右各側壁対応部位（34）（34）の上端部が貼着されているから、食品を容器本体（１）内に入れるときに、食品がこれら側壁対応部位（33）（34）（34）の上縁に引っ掛かって該フィルムがめくれるという不具合が発生しない。
【００３２】
而して、容器使用後において、容器内面から汚れ防止用フィルム（30）を引き剥がして分離する場合には、図６に示すように、まず蓋受け片（７）を立ち上げて摘み片（６）を摘み、他方の折半部（5b）をこの摘み片（６）から容器本体（１）の外側へと引っ張る。これにより、他方の折半部（5b）が破断用連結部（10a）及び破断用切目（10b）から破断され、もって容器本体（１）が解体される。次いで、容器本体（１）の突出部（８）からフィルム（30）の突出部対応部位（38）をめくって摘み、フィルム（30）を引き剥がす。このとき、容器本体（１）は解体されて二つ折り状の連結片（５）が開いた状態になっているから、連結片（５）に干渉されることなくフィルム（30）を引き剥がすことができる。而して、この容器（Ａ）では、フィルム（30）の連結片対応部位（35）は、二つ折り状の連結片（５）間にあるから、フィルム（30）を引き剥がす際に、該フィルム（30）が連結片対応部位（35）において破れる虞があるが、この実施形態では、上述したように二つ折り状の連結片（５）が開いた状態になっているから、連結片（５）に干渉されることなくフィルム（30）を引き剥がすことができるし、しかもフィルム（30）の連結片対応部位（35）が連結片（５）の内面に貼着されていないから、連結片対応部位（35）を容易に連結片（５）間から取り出すことができる。なお、フィルム（30）の引き剥がし操作は、容器本体解体後にフィルム（30）の隣接する貼着部（イ）（イ）間の部位を摘んでこの部位から行っても良い。
【００３３】
また、汚れ防止用フィルム（30）の引き剥がし操作は、次のようにして行っても良い。すなわち、図７に示すように、左右両側壁（４）（４）のうちいずれか一方の側壁（４）の外面を手で押して該側壁（４）を内側に傾倒させる。これにより、二つ折り状の連結片（５）間に大きな隙間（Ｓ）が形成される。この状態にしておいてから、フィルム（30）の突出部対応部位（38）をめくって摘んでフィルム（30）を引き剥がしても良い。これによれば、フィルム（30）の引き剥がし操作の際には、二つ折り状の連結片（５）間に大きな隙間（Ｓ）が形成されているから、上記引き剥がし操作の場合と同じく、連結片（５）に干渉されることなくフィルム（30）を引き剥がすことができる。
【００３４】
さらに、この容器（Ａ）によれば、汚れ防止用フィルム（30）は、剥離可能な接着剤により貼着されているので、フィルム（30）を容器内面から引き剥がす途中で、フィルム（30）が貼着部（イ）において破れてその一部が容器内面に残ってしまう不具合が発生せず、フィルム（30）を綺麗に引き剥がすことができる。その上、フィルム（30）の貼着箇所が点在しているので、フィルム（30）の貼着部（イ）の合計面積が小さく、したがってフィルム（30）を僅かな力で引き剥がすことができる。
【００３５】
さらに、この容器（Ａ）は、次のような利点を有している。すなわち、もし仮に汚れ防止用フィルム（30）を折目及びその近傍部分にて貼着すると、接着剤が固まることにより折目部分が硬くなって曲がり難くなるという問題が発生する。一方、この容器（Ａ）では、汚れ防止用フィルム（30）は全折目及びその近傍を除く部分において貼着されているから、このような問題は発生せず、容器（Ａ）の組立製作の際に構成部位を容易に折り曲げることができるという利点を有している。
【００３６】
図８〜図１２は、この発明の第２実施形態の紙製包装用容器（Ｂ）を示している。これらの図には、上記第１実施形態の容器（Ａ）と同じ構成要素に同一の符号が付されており、以下、この第２実施形態の容器（Ｂ）を上記第１実施形態のもの（Ａ）との相異点を中心に説明する。
【００３７】
この第２実施形態の容器（Ｂ）では、蓋体（図示せず）は容器本体（１）とは別体になっている。
【００３８】
さらに、この容器（Ｂ）の容器本体（１）は、図１０に展開図で示すように、上記第１実施形態のものと同じく、底壁（２）と、前後左右の四側壁（３）（４）（３）（４）と、合計４個の連結片（５）（５）（５）（５）とから構成されているが、蓋受け片を備えておらず、各側壁（３）（４）（３）（４）の上縁における長さ方向中間部に、突出部（８）が上方突出状に突設されている。さらに、この容器本体（１）には、摘み片が設けられていない。そして、図９に示すように、連結片（５）が折半用折目（10）から二つ折り状に折り曲げられ、この状態で一方の折半部（5a）が該折半部側の側壁（４）の端部外面に貼着され、これにより隣接する側壁（３）（４）同士が連結されている。
【００３９】
一方、汚れ防止用フィルム（30）は、図１１に展開図で示すように、連結片対応部位を備えておらず、つまり容器本体との対応部位（31）が、底壁対応部位（32）と、前後左右の四側壁対応部位（33）（34）（33）（34）と、隣接する側壁対応部位（33）（34）のうち一方の側壁対応部位（34）の端縁に折目を介して連設された重合片（50）とから構成されている。前記重合片（50）の先端における下縁部には、他方の側壁対応部位（33）の長さ方向中間部に向かって突出した略三角形状の突出部（50a）が設けられている。
【００４０】
そして、図９に示すように、このフィルム（30）の底壁対応部位（32）及び各側壁対応部位（33）（34）（33）（34）が、それぞれ容器本体（１）の底壁（２）及び各側壁（３）（４）（３）（４）の内面に積層され、この状態で、剥離可能な接着剤により複数箇所において貼着されている。さらに、同図に示すように、フィルム（30）の重合片（50）が、他方の側壁対応部位（33）の端縁を跨いで該他方の側壁対応部位（33）の端部内面に重合され、これにより隣接する側壁対応部位（33）（34）の端縁間の隙間がこの重合片（50）で閉塞されている。
【００４１】
前記重合片（50）は、次のようにして他方の側壁対応部位（33）の端部内面に重合されたものである。すなわち、重合片（50）は前記突出部（50a）を有していることから、図１２に示すように、容器本体（１）の隣接する側壁（３）（４）同士の立上げ操作の途中で、突出部（50a）の裏面が重合片（50）よりも先に他方の側壁対応部位（33）の端部内面に該内面に対して斜めに当接するものとな。更に容器本体（１）の両側壁（３）（４）を立ち上げていくことにより、突
出部（50a）が他方の側壁対応部位（33）の端部内面を滑って重合片（50）を他方の側壁対応部位（33）の内面側に案内する。そして、容器本体（１）の両側壁（３）（４）が立上り姿勢になったとき、重合片（50）が他方の側壁対応部位（33）の端部内面に重合される。こうして重合片（50）が他方の側壁対応部位（33）の端部内面に重合されたものである。したがって、この容器本体（１）によれば、隣接する側壁（３）（４）の立ち上げ操作の際に、重合片（50）が他方の側壁対応部位（33）の内面側に来るように重合片（50）を予め折り曲げておく必要がなくなり、このため隣接する側壁（３）（４）の立ち上げ操作を容易に行うことができるものとなっている。
【００４２】
さらに、この容器本体（１）によれば、図９に示すように、連結片（５）の内面には汚れ防止用フィルム（30）が積層されていないから、連結片（５）に干渉されることなくフィルム（30）を引き剥がすことができる。加えて、隣接する側壁対応部位（33）（34）の端縁間の隙間が重合片（50）で閉塞されているので、この隙間から液体調味料や液汁が浸入して連結片（５）が汚れるという不具合が発生せず、この隙間からの連結片（５）の汚れを防止することができる。
【００４３】
以上でこの発明の実施形態の容器（Ａ）（Ｂ）について説明したが、この発明は、上記第１及び第２実施形態のもの（Ａ）（Ｂ）に限定されるものではなく、様々に設定変更可能である。
【００４４】
例えば、汚れ防止用フィルム（30）は、図１３に示したものであっても良い。同図に示した汚れ防止用フィルム（30）は、上記第２実施形態の容器本体（１）の内面に積層されるもので、重合片を備えておらず、つまり容器本体との対応部位（31）が、底壁対応部位（32）と、前後左右の四側壁対応部位（33）（34）（33）（34）とから構成されているものである。そして、このフィルム（30）は、底壁対応部位（32）及び各側壁対応部位（33）（34）（33）（34）が、それぞれ容器本体（１）の底壁（２）及び各側壁（３）（４）（３）（４）の内面に積層され、この状態で剥離可能な接着剤により貼着されることとなる。
【００４５】
また、汚れ防止用フィルム（30）は、図１４に示したものであっても良い。同図に示した汚れ防止用フィルム（30）は、上記第１実施形態の容器（Ａ）の容器本体（１）及び蓋体（９）の内面全面に積層されるものである。この変形例のフィルム（30）においては、容器本体（１）の底壁（２）の内面に、このフィルムの底壁対応部位（32）が剥離可能な接着剤により略全面に亘って貼着されるとともに、容器本体（１）の３個の蓋受け片（７）（７）（７）の内面に、フィルムの蓋受け片対応部位（37）（37）（37）が該蓋受け片（７）（７）（７）の先端縁に沿って剥離可能な接着剤により貼着されるものである。このフィルム（30）の他の構成は、図５で示したものと同一である。
【００４６】
この変形例から分かるように、この発明では、フィルム（30）の容器内面への各貼着部（イ）は、点状になっていても良いことはもとより、線状や面状になっていても良い。さらに、この発明では、フィルム（30）の裏面の全面積に対するこれら貼着部（イ）の合計面積の占める割合が５０％以下に設定されていることが、フィルム（30）の引き剥がし操作をより一層容易に行えるようになる点で、望ましく、更に、この割合が３０％以下に設定されていることが、特に望ましい。
【００４７】
図１５〜図２１は、この発明の第３実施形態の紙製包装用容器（Ｃ）を示している。これらの図には、上記第１実施形態の容器（Ａ）と同じ構成要素に同一の符号が付されており、以下、この第３実施形態の容器（Ｃ）の構成を上記第１実施形態のもの（Ａ）との相異点を中心に説明する。なお、この発明に係る容器の前後方向は相対的なものであり、この明細書では、説明の便宜上、容器本体に備えられた複数個の側壁のうち、蓋体が連設されている側壁を後側壁としている。
【００４８】
この第３実施形態の容器（Ｃ）は、上記第１実施形態のもの（Ａ）と同じく、図１８に展開図で示した容器組立用素片（20）から組立製作されたものである。この第３実施形態では、容器組立用素片（20）は薄肉の段ボール（例えば厚さ０．７〜３ｍｍ）からなる。
【００４９】
さらに、この容器（Ｃ）の容器本体（１）及び蓋体（９）の内面全面には、図１９に展開図で示したＰＥＴ樹脂からなる透明な汚れ防止用フィルム（30）（例えば厚さ１０〜１００μｍ）が積層され、且つこの状態で該フィルム（30）が剥離可能な接着剤によって複数箇所において貼着されている。この第３実施形態では、フィルム（30）の各貼着部（イ）は点状のものと線状のものとが混在しており、具体的な貼着箇所については後述する。
【００５０】
この容器（Ｃ）の容器本体（１）の各側壁（３）（４）（３）（４）は、上記第１実施形態のもの（Ａ）と同じく、下辺長さよりも上辺長さの方が大に設定されて略逆台形状に形成されている。このように設定されることにより、この容器（Ｃ）は、各側壁（３）（４）（３）（４）が斜め立上り状になっているいわゆるテーパ付き容器となっている。
【００５１】
また、左右各側壁（４）（４）の上縁には、図１６〜図１８に示すように、蓋体（９）を上方から押さえる蓋押さえ片（60）（60）が折目（13）（13）を介して連設されている。さらに、この左右各側壁（４）の長さ方向中間部と蓋押さえ片（60）との境目には、門形状の第１切目（61）が設けられている。さらに、この左右各蓋押さえ片（60）の先端部における長さ方向中間部には、半円状のフィルム捲り（めくり）用遊離部（62）が該遊離部の周囲に設けられた複数個の第２破断用連結部（63a）及び破断用切目（63b）を介して設けられている。また、前側壁（３）の上縁の長さ方向中間部には、係止片（3a）が上方突出状に突設されている。
【００５２】
一方、蓋体（９）は、図１６及び図１７に示すように、容器本体（１）の上面開口に凹陥状に被せられるもので、方形状の蓋本体（70）と、該蓋本体（70）の周縁に折目（71）（71）（71）（71）を介して連設された斜め立上り状の前後左右の合計４個の密封用重合片（73）（74）（73）（74）とを備えている。前記蓋本体（70）の中央部には、方形状の窓孔（72）が設けられている。前記各密封用重合片（73）（74）（73）（74）は、容器本体（１）の各側壁（３）（４）（３）（４）と同じく、下辺長さよりも上辺長さの方が大に設定されて略逆台形状に形成されている。
【００５３】
また、この蓋体（９）は、前後左右の密封用重合片（73）（74）（73）（74）のうち、後密封用重合片（73）の上縁と容器本体（１）の後側壁（３）の上縁とが折目（15）を介して一体に連設されている。そして、この蓋体（９）は、図１７に示すように、容器本体（１）の上面開口に被せられた状態において、蓋本体（70）が容器本体（１）の四側壁（３）（４）（３）（４）の上縁高さ位置よりも若干低い位置にて水平に配置されるとともに、各密封用重合片（73）（74）（73）（74）が容器本体（１）の対応側壁（３）（４）（３）（４）の上部内面に略密着して重合され、これにより容器本体（１）の上面開口を密封し得るものとなされている。さらに、この状態においては、蓋体（９）の蓋本体（70）の周縁は、容器本体（１）の四側壁（３）（４）（３）（４）の内面に当接しており、これにより蓋本体（70）が容器本体（１）内に落ち込まないよう四側壁（３）（４）（３）（４）の内面で支持されている。
【００５４】
また、蓋体（９）の前密封用重合片（73）の上縁の長さ方向中間部には、舌状片（75）が折目（76）を介して連設されている。さらに、前密封用重合片（73）の長さ方向中間部と舌状片（75）との境目には、門形状の第２切目（77）が設けられている。一方、左右各密封用重合片（74）（74）の上縁の長さ方向中間部には、係止片（74a）（74a）が突設されている。
【００５５】
而して、この蓋体（９）は、図１６に示すように、容器本体（１）の上面開口に被せられた状態において、舌状片（75）が折目（76）から容器本体（１）の前側壁（３）の外面側に折り曲げられるとともに、この折曲げ動作により、前側壁（３）の上縁に突設された係止片（3a）が第２切目（77）内に嵌入され、これにより該蓋体（９）が前密封用重合片（73）の上縁にて不本意に開かないようロックされる。さらに、図２０に示すように、容器本体（１）の左右各蓋押さえ片（60）（60）が折目（13）（13）から蓋体（９）の左右各密封用重合片（74）（74）の外面側に折り曲げられて蓋体（９）が蓋押さえ片（74）で押さえられるとともに、この蓋押さえ片（60）の折曲げ動作により、左右各密封用重合片（74）の上縁に突設された係止片（74a）が第１切目（61）内に嵌入され、これにより該蓋体（９）が左右各密封用重合片（74）（74）の上縁にて不本意に開かないようロックされ、もって蓋体（９）が密封状態にしっかりと保持されるものとなされている。
【００５６】
一方、蓋体（９）のロックを解除する場合には、舌状片（75）及び左右各蓋押さえ片（60）（60）を立ち上げれば良い。こうすることにより、これら係止片（3a）（74a）（74a）が切目（77）（61）（61）内から抜出され、もって蓋体（９）のロックが解除されることとなる。
【００５７】
前記汚れ防止用フィルム（30）は、図１９に示すように、容器（Ｃ）の全構成部位に対応する部位を備えており、その構成部位を簡単に説明すれば、このフィルム（30）は、容器本体との対応部位（31）と、蓋体との対応部位（39）とを備えている。
【００５８】
前記容器本体対応部位（31）は、底壁対応部位（32）と、前後左右の四側壁対応部位（33）（34）（33）（34）と、合計４個の連結片対応部位（35）（35）（35）（35）とから構成されている。また、（80）は蓋押さえ片対応部位である。
【００５９】
一方、前記蓋体対応部位（39）は、蓋本体対応部位（90）と、前後左右の密封用重合片対応部位（93）（94）（93）（94）とを備えている。さらに、隣接する密封用重合片対応部位（93）（94）の端縁間には、略三角形状の閉塞部（99）が両密封用重合片対応部位（93）（94）に跨って設けられている。この閉塞部（99）は、後述するように蓋体（９）の隣接する密封用重合片（73）（74）の端縁間に形成された隙間を閉塞するためのものである。また、（95）は舌状片対応部位である。なお、このフィルム（30）の蓋本体対応部位（90）には窓孔は設けられていない。
【００６０】
そして、この容器（Ｃ）においては、フィルム（30）の底壁対応部位（32）、各側壁対応部位（33）（34）（33）（34）、各連結片対応部位（35）（35）（35）（35）及び各蓋押さえ片対応部位（80）（80）が、それぞれ容器本体（１）の底壁（２）、各側壁（３）（４）（３）（４）、各連結片（５）（５）（５）（５）及び各蓋押さえ片（60）（60）の内面に積層されている。さらに、フィルム（30）の蓋本体対応部位（90）、各密封用重合片対応部位（93）（94）（93）（94）及び舌状片対応部位（95）が、それぞれ蓋体（９）の蓋本体（70）、各密封用重合片（73）（74）（73）（74）及び舌状片（75）の内面に積層されている。この積層状態において、図１６に示すように、フィルム（30）の蓋本体対応部位（90）の中央部は、窓孔（72）から露出しており、該窓孔（72）内にフィルムが張られた状態になっている。
【００６１】
さらに、フィルムの各閉塞部（99）は、図２０に示すように、蓋体（９）を被せた状態において、密封用重合片（73）（74）の外面側にて二つ折り状に折り曲げられており、これにより隣接する密封用重合片（73）（74）の端縁間の隙間が閉塞部（99）で閉塞され、この隙間からの液体調味料や液汁の漏出を阻止し得るものとなっている。
【００６２】
このフィルム（30）の容器内面への貼着箇所は、図１８及び図１９に示すように点在しており、更にフィルム（30）の連結片対応部位（35）は、いずれも容器本体（１）の連結片（５）の内面には貼着されていないものであって、フィルム（30）の主な貼着箇所について説明すると、フィルム（30）の前側壁対応部位（33）の上端部が、容器本体（１）の前側壁（３）の上端部内面に該前側壁（３）の上縁に沿って貼着され、更にフィルム（30）の左右各蓋押さえ片対応部位（80）（80）の先端部が、容器本体（１）の各蓋押さえ片（60）（60）の先端部内面に該蓋押さえ片（60）（60）の先端縁に沿って貼着され、更にフィルム（30）の底壁対応部位（２）が、容器本体（１）の底壁（２）の内面２箇所に該底壁（２）の前後方向に貼着されている。さらに、フィルム（30）の蓋本体対応部位（90）が、蓋体（９）の蓋本体（70）の窓孔（72）の周縁部内面に該窓孔（72）の周縁に沿って貼着され、更にフィルム（30）の前密封用重合片対応部位（93）及び左右各密封用重合片対応部位（94）（94）の先端部が、蓋体（９）の対応する密封用重合片（73）（74）（74）の先端部内面に該密封用重合片（73）（74）（74）の先端縁に沿って貼着され、更にフィルム（30）の舌状片対応部位（95）の先端部が、蓋体（９）の舌状片（75）の先端部内面に該舌状片（75）の先端縁に沿って貼着されている。また、このフィルム（30）は、上記第１実施形態と同じく、全ての折目（10）（11）（12）（13）（15）（71）（76）及びその近傍を除く部分において、容器本体（１）及び蓋体（９）の内面に貼着されている。
【００６３】
以上の構成の容器（Ｃ）は、上記第１実施形態の容器（Ａ）と同じ利点を備えていることはもとより、この容器（Ｃ）では、蓋体（９）を容器本体（１）の上面開口に被せると、蓋本体（70）が容器本体（１）の四側壁（３）（４）（３）（４）の上縁高さ位置よりも若干低い位置にて水平に配置され、且つ各密封用重合片（73）（74）（73）（74）が容器本体（１）の対応側壁（３）（４）（３）（４）の上部内面に重合されるから、蓋体（９）を略密封状態に被せることができるという利点を有している。しかも、蓋体（９）の隣接する密封用重合片（73）（74）の端縁間の隙間がフィルム（30）の閉塞部（99）で閉塞されるから、液体調味料や液汁等がこの隙間から漏出する不具合を防止できるという利点も有している。
【００６４】
而して、この容器（Ｃ）では、次のようにしてフィルム（30）を容器内面から引き剥がしても良い。すなわち、図２１に示すように、まず蓋押さえ片（60）を立ち上げた後、遊離部（62）を指先で容器本体（１）の内側に強く押す。これにより、遊離部（62）が破断用連結部（63a）及び破断用切目（63b）から破断されて該遊離部（62）が蓋押さえ片（60）から遊離され、この結果、フィルム（30）が遊離部（62）近傍において捲れることとなる。この捲れた部位を摘んでフィルム（30）を引き剥がす。このように、この容器（Ｃ）によれば、遊離部（62）を遊離させることによりフィルム（30）を捲ることができるので、煩わしいフィルムの捲り作業を行う必要がなくなり、フィルムの引き剥がし作業をより一層容易に行うことができるようになっている。
【００６５】
さらに、この容器（Ｃ）は、次のような従来の紙製包装用容器における欠点を解消できるものとなっている。
【００６６】
すなわち、従来の紙製包装用容器においては、トレー状の容器本体の上面開口に被せられる蓋体は、平板状のものであった。このため、蓋体を被せた後でこの上に容器を積み上げようとしても、積み上げられた容器が横ずれを起こして落下する虞があり、容器を安定良く積み上げることができなかった。このため、食品等を箱詰めする作業現場では、食品等を容器本体内に入れた後で容器を作業台上に平面的に並べて載置しておかなければならず、容器の個数が増えるに従って箱詰め作業スペースが狭くなるという問題が生じていた。
【００６７】
そこで、複数個の容器を蓋体を被せた状態で安定良く積み上げることができるようにするため、この第３実施形態の紙製包装用容器（Ｃ）は、底壁（２）と該底壁（２）の周縁に連設された複数個の側壁（３）（４）（３）（４）とを有する容器本体（１）と、該容器本体（１）の上面開口に凹陥状に被せられる蓋体（９）と、を備えてなり、且つ、前記容器本体（１）の各側壁（３）（４）（３）（４）は、下辺長さよりも上辺長さの方が大に設定される一方、前記蓋体（９）は、蓋本体（70）と、該蓋本体（70）の周縁に連設された複数個の密封用重合片（73）（74）（73）（74）とを有し、且つ、この蓋体（９）が前記容器本体（１）の上面開口に被せられた状態において、前記蓋本体（70）が前記容器本体（１）の前記複数個の側壁（３）（４）（３）（４）の上縁高さ位置よりも低い位置にて略水平に配置されるとともに、前記各密封用重合片（73）（74）（73）（74）が前記容器本体（１）の対応側壁（３）（４）（３）（４）の内面に重合されるものとなされている構成を採用している。
【００６８】
この容器（Ｃ）によれば、容器本体（１）の各側壁（３）（４）（３）（４）は、下辺長さよりも上辺長さの方が大に設定されているから、箱詰め作業を行う際に、複数個の容器を蓋体を開けた状態で積み重ねることができて、箱詰め作業スペースを有効に活用できるようになることはもとより、蓋体（９）が容器本体（１）の上面開口に被せられた状態において、蓋本体（70）が容器本体（１）の複数個の側壁（３）（４）（３）（４）の上縁高さ位置よりも低い位置にて略水平に配置されることから、図１７に示すように、蓋体を被せた後で容器を積み上げる際には、積み上げられる容器は水平に配置された蓋本体（70）の上に載置されるとともに、積み上げられた容器の底部が下側の容器の側壁（３）（４）（３）（４）の上端部に引っ掛かることにより容器の横ずれによる落下が阻止されるようになり、この結果、複数個の容器を安定良く積み上げることができるようになって、箱詰め作業スペースをより一層有効に活用することができるようになるという利点を有している。しかも、各密封用重合片（73）（74）（73）（74）が前記容器本体（１）の対応側壁（３）（４）（３）（４）の内面に重合されるから、蓋体（９）を略密封状態に被せることができるという利点を有している。
【００６９】
さらに、この発明は様々に設定変更可能である。例えば、容器は、上記実施形態では比較的底の浅いものであるが、この発明では底の深いものであっても良い。また、汚れ防止用フィルムは、上記実施形態では薄紙やＰＥＴ樹脂からなるものであるが、この発明ではポリエチレンやポリプロピレン等の合成樹脂からなるものであっても良いし、シリコーン樹脂等の合成樹脂がコーティングされた紙からなるものであっても良い。
【００７０】
また、請求項１の発明においては、容器は、持ち運び用吊下げ取手を備えたものであって、この取手の容器取付け部と、一対の対向する側壁の両端縁に連設された連結片の先端部同士とが、側壁の外面側において連結されることにより、隣接する側壁同士が連結され且つ取手が容器に取り付けられたものであっても良い。また、容器は、隣接する側壁のうちいずれか一方の側壁にのみ連結片が連設されていて、該連結片が他方の側壁の外面に貼着されることにより、両側壁同士が連結されているものであっても良い。
【発明の効果】
【００７１】
上述の次第で、請求項１の発明に係る紙製食品包装用容器は、内面に、食品との接触による汚れを防止する汚れ防止用フィルムが積層貼着されているものなので、例えば、焼きそばやたこ焼き等、表面にソースや醤油等の液体調味料が塗られた食品やおでん等の液汁の出る食品を容器内に入れた場合であっても、容器内面の汚れを防止することができる。さらに、この容器は、フィルムが剥離可能な接着剤により貼着されているものなので、フィルムを容器内面から引き剥がす途中で、フィルムが貼着部において破れてその一部が容器内面に残るという不具合が発生しない。したがって、この容器は、これを綺麗な状態で再生に供することがことができるという利点を有する。しかも、この容器は、フィルムが複数箇所において貼着されているので、フィルムの貼着部の合計面積が小さく、このためフィルムが容器内面に全面的に貼着されている従来の紙製容器に比べて、僅かな力でフィルムを引き剥がすことができるし、フィルムを引き剥がす際に、フィルムの貼着部間の部位を摘むことができて、この部位からフィルムの引き剥がし操作を行うことができるようになるから、フィルムの引き剥がし操作を容易に行うことができるという利点も有する。
【００７２】
さらに、上記紙製食品包装用容器は、容器本体が、底壁と、該底壁の周縁に周方向に並んで設けられた複数個の側壁と、隣接する側壁の端縁間に介在された連結片とから構成されるとともに、連結片は、各側壁の端縁に連設され互いに折半用折目を介して連設された一対の折半部からなり、隣接する側壁同士が、この連結片が折半用折目から二つ折り状に折り曲げられた状態でいずれか一方の折半部が該折半部側の側壁の外面に貼着されることにより、連結され、フィルムは、容器本体との対応部位が、底壁対応部位と、各側壁対応部位と、各連結片対応部位とから構成されるとともに、底壁対応部位及び各側壁対応部位が、それぞれ前記容器本体の底壁及び各側壁の内面に積層され、且つ連結片対応部位が連結片の内面に積層されるとともにこの状態で連結片と共に二つ折り状に折り曲げられているものなので、もし仮に、二つ折り状の連結片間に液体調味料や液汁が浸入した場合であっても、連結片の内面にはフィルムの連結片対応部位が積層されているから、連結片内面の汚れを防止することができるという利点を有する。
【００７３】
また、他方の折半部の上縁に、容器本体解体用摘み片が突設されているものなので、摘み片を手で摘んでこの摘み片から他方の折半部を容器本体の外側へと引っ張ることにより、該他方の折半部が折半用折目部分において破断されて容器本体が解体され、あるいは摘み片からの引張力を受けて一方の折半部が側壁外面から引き剥がされて容器本体が解体される。容器本体の解体後においては、二つ折り状の連結片は開いた状態になっているので、連結片間にある連結片対応部位の取出し作業をより一層容易に行うことができるという利点を有する。
【００７４】
請求項２の発明に係る紙製食品包装用容器は、連結片の折半用折目に、該折半用折目に沿って複数個の破断用連結部及び破断用切目が設けられているものなので、他方の折半部を容器本体の外側へと引っ張ることにより、該他方の折半部がこの破断用連結部及び破断用切目から破断されて容器本体が解体される。したがって、容器本体の解体作業を容易に行うことができるようになり、もって連結片間にある連結片対応部位の取出し作業を更に容易に行うことができるという利点を有する。
【００７５】
請求項３の発明に係る紙製食品包装用容器では、連結片対応部位が連結片の内面に非貼着状態で積層されているので、連結片対応部位を連結片間から容易に取り出すことができるという利点を有する。
【００７６】
請求項５の発明に係る紙製食品包装用容器は、各側壁対応部位の上部が貼着されているものなので、食品を容器内に入れるときに、食品がフィルムの上縁に引っ掛かって該フィルムがめくれるという不具合を防止することができる。
【００７７】
請求項６の発明に係る紙製食品包装用容器は、容器の一部に、フィルム捲り用遊離部が複数個の破断用連結部及び破断用切目を介して設けられているものなので、遊離部を手で容器本体の内側に押して該遊離部を容器から遊離することにより、フィルムを捲ることができるようになり、もってフィルムの引き剥がし作業をより一層容易に行うことができるという利点を有する。
【００７８】
請求項７の発明に係る紙製食品包装用容器は、フィルムが紙からなるものなので、容器内面から引き剥がされたフィルムを焼却処理するに当たって、有害ガスの発生や焼却炉の寿命低下等の合成樹脂製フィルムの有する焼却処理問題の発生を伴わずに、フィルムを焼却処理することができるという利点を有する。
【００７９】
請求項８の発明に係る紙製食品包装用容器は、隣接する部位が折目を介して連設されたものであり、且つフィルムが全折目及びその近傍を除く部分において貼着されているものなので、接着剤が固まって折目部分が曲がり難くなるという不具合が防止されており、したがって、この容器はこれを組立製作する際に構成部位を容易に折り曲げることができるという利点を有している。
【図面の簡単な説明】
【００９０】
【図１】この発明の第１実施形態の紙製包装用容器の斜視図である。
【図２】同容器の一部の側面図である。
【図３】図２中のIII−III線断面図である。
【図４】同容器の展開図である。
【図５】同容器における汚れ防止用フィルムの展開図である。
【図６】同容器における汚れ防止用フィルムの分離操作の一例を示す、容器本体の解体途上の斜視図である。
【図７】同容器における汚れ防止用フィルムの分離操作のもう一つの例を示す、容器本体の一側壁を押した状態の斜視図である。
【図８】この発明の第２実施形態の紙製包装用容器の斜視図である。
【図９】同容器の図３に対応する断面図である。
【図１０】同容器の展開図である。
【図１１】同容器における汚れ防止用フィルムの展開図である。
【図１２】同容器の組立途上の斜視図である。
【図１３】上記第２実施形態の紙製包装用容器における汚れ防止用フィルムの変形例を示す、汚れ防止用フィルムの展開図である。
【図１４】上記第１実施形態の紙製包装用容器における汚れ防止用フィルムの変形例を示す、汚れ防止用フィルムの展開図である。
【図１５】この発明の第３実施形態の紙製包装用容器の斜視図である。
【図１６】同容器を蓋体を閉じた状態で示す斜視図である。
【図１７】同容器の断面図である。
【図１８】同容器の展開図である。
【図１９】同容器における汚れ防止用フィルムの展開図である。
【図２０】同容器の拡大斜視図である。
【図２１】同容器における汚れ防止用フィルムの分離操作の一例を示す、フィルム捲り用遊離部を遊離する途中の状態の斜視図である。
【符号の説明】
【００９１】
Ａ、Ｂ、Ｃ…容器
１…容器本体
２…底壁
３、４…側壁
５…連結片
６…容器本体解体用摘み片
９…蓋体
10…折半用折目
30…汚れ防止用フィルム
31…容器本体対応部位
32…底壁対応部位
33、34…側壁対応部位
35…連結片対応部位
39…蓋体対応部位
50…重合片
イ…貼着部
【図１】
0003568456.tif 000002
【図２】
0003568456.tif 000003
【図３】
0003568456.tif 000004
【図４】
0003568456.tif 000005
【図５】
0003568456.tif 000006
【図６】
0003568456.tif 000007
【図７】
0003568456.tif 000008
【図８】
0003568456.tif 000009
【図９】
0003568456.tif 000010
【図１０】
0003568456.tif 000011
【図１１】
0003568456.tif 000012
【図１２】
0003568456.tif 000013
【図１３】
0003568456.tif 000014
【図１４】
0003568456.tif 000015
【図１５】
0003568456.tif 000016
【図１６】
0003568456.tif 000017
【図１７】
0003568456.tif 000018
【図１８】
0003568456.tif 000019
【図１９】
0003568456.tif 000020
【図２０】
0003568456.tif 000021
【図２１】
0003568456.tif 000022